(57)【要約】【課題】折り畳む際に本体部と吸収体が相対移動してしまうことを抑止する吸収性物品を提供する。【解決手段】吸収性物品の本体部と、前記本体部に重ね合わせられ、液を吸収する吸収部材を有する吸収体であって、長手方向の一端部が第１接合部にて前記本体部に接合され、他端部が第２接合部にて前記本体部に接合される吸収体と、前記第１接合部と前記第２接合部との間に設けられ、前記本体部と前記吸収体とを重ね合わせた状態で折り畳む際の前記本体部と前記吸収体との相対移動を規制する規制部とを備える。【選択図】図１１Ａ
2008246090.tif 000002
【特許請求の範囲】
【請求項１】
吸収性物品の本体部と、
前記本体部に重ね合わせられ、液を吸収する吸収部材を有する吸収体であって、長手方向の一端部が第１接合部にて前記本体部に接合され、他端部が第２接合部にて前記本体部に接合される吸収体と、
前記第１接合部と前記第２接合部との間に設けられ、前記本体部と前記吸収体とを重ね合わせた状態で折り畳む際の前記本体部と前記吸収体との相対移動を規制する規制部とを備えることを特徴とする吸収性物品。
【請求項２】
請求項１に記載の吸収性物品であって、
前記第１接合部では、前記本体部と前記吸収体とが剥離不能に接合され、
前記第２接合部では、前記本体部と前記吸収体とが剥離可能に接合されることを特徴とする吸収性物品。
【請求項３】
請求項１または請求項２に記載の吸収性物品であって、
前記第１接合部と前記規制部との間に折り位置が設けられることを特徴とする吸収性物品。
【請求項４】
請求項１から請求項３のいずれかに記載の吸収性物品であって、
前記第２接合部と前記規制部との間に折り位置が設けられることを特徴とする吸収性物品。
【請求項５】
請求項１から請求項４のいずれかに記載の吸収性物品であって、
前記規制部が複数ある場合、
複数の前記規制部の間に折り位置が設けられることを特徴とする吸収性物品。
【請求項６】
請求項１から請求項５のいずれかに記載の吸収性物品であって、
前記本体部は、前記長手方向と交差する方向に突出した保持部を有し、前記保持部が前記吸収体側に折り返され、
折り返された前記保持部の上面と剥離可能に接着されたシートと、前記本体部とで、前記吸収体を挟んだ保持規制部が前記規制部として前記相対移動を規制することを特徴とする吸収性物品。
【請求項７】
請求項６に記載の吸収性物品であって、
前記保持規制部は、折り返された複数の前記保持部の上面と剥離可能に接着されたシートと、前記本体部とで、前記吸収体を挟んでいることを特徴とする吸収性物品。
【請求項８】
請求項７に記載の吸収性物品であって、
前記シート上に折り位置が設けられることを特徴とする吸収性物品。
【請求項９】
請求項６から請求項８のいずれかに記載の吸収性物品であって、
前記保持部は着衣に対して前記本体部の取り付け位置を保持することを特徴とする吸収性物品。
【請求項１０】
請求項６から請求項９のいずれかに記載の吸収性物品であって、
前記本体部と前記吸収体とを再接合可能に接合する仮接合規制部が前記規制部として前記相対移動を規制することを特徴とする吸収性物品。
【請求項１１】
請求項１０に記載の吸収性物品であって、
前記仮接合規制部は折り位置と重ならないことを特徴とする吸収性物品。
【請求項１２】
請求項１０または請求項１１に記載の吸収性物品であって、
前記保持規制部は、前記第１接合部と前記仮接合規制部の間に設けられ、
前記仮接合規制部は、前記保持規制部と前記第２接合部の間に設けられることを特徴とする吸収性物品。
【請求項１３】
請求項１２に記載の吸収性物品であって、
前記保持規制部と前記仮接合規制部との間に中間折り位置が設けられ、前記仮接合規制部と前記第２接合部との間に端部折り位置が設けられ、前記中間折り位置よりも先に前記端部折り位置で、前記本体部と前記吸収体が折り畳まれる場合、
前記仮接合規制部は、前記中間折り位置と前記端部折り位置の中央より前記端部折り位置に近い位置に設けられることを特徴とする吸収性物品。
【請求項１４】
請求項１２に記載の吸収性物品であって、
前記保持規制部と前記仮接合規制部との間に中間折り位置が設けられ、前記仮接合規制部と前記第２接合部との間に端部折り位置が設けられ、
前記仮接合規制部は、前記中間折り位置と前記端部折り位置の中央に設けられることを特徴とする吸収性物品。
【請求項１５】
請求項６から請求項１４のいずれかに記載の吸収性物品であって、
複数の前記保持規制部を備えることを特徴とする吸収性物品。
【請求項１６】
請求項１から請求項５のいずれかに記載の吸収性物品であって、
前記本体部と前記吸収体とを再接合可能に接合する仮接合規制部が前記規制部として前記相対移動を規制することを特徴とする吸収性物品。
【発明の詳細な説明】
【技術分野】
【０００１】
本発明は、液を吸収するための吸収性物品に関する。
【背景技術】
【０００２】
従来、経血などの所定の液体を吸収するための吸収体を備えた吸収性物品が知られている。このような吸収性物品には、例えば液体を吸収する第１吸収体（本体部）と、第１吸収体に重ね合わされた第２吸収体（吸収体）とを有する２層構造のものがある（例えば、特許文献１参照）。また、２層構造の吸収性物品は、通常、身体に当接される吸収性物品側を内側として、折り畳まれて個別包装される。
【０００３】
【特許文献１】特開平１１−１０４１６８号公報
【発明の開示】
【発明が解決しようとする課題】
【０００４】
上記のような２層構造の吸収性物品では、第１吸収体と第２吸収体の長手方向の両端が接合されていたとしても、前記両端以外において第１吸収体と第２吸収体とが分離可能な状態であると、折り畳む際に第１吸収体と第２吸収体が相対移動し、第１吸収体上の第２吸収体の取付位置から第２吸収体がずれて折り畳まれてしまうという課題があった。
【０００５】
そこで本発明は、上記のような従来の問題に鑑みなされたものであって、折り畳む際に本体部と吸収体が相対移動してしまうことを抑止する吸収性物品を提供することを目的とする。
【課題を解決するための手段】
【０００６】
上記のような課題を解決するために、主たる本発明は、吸収性物品の本体部と、前記本体部に重ね合わせられ、液を吸収する吸収部材を有する吸収体であって、長手方向の一端部が第１接合部にて前記本体部に接合され、他端部が第２接合部にて前記本体部に接合される吸収体と、前記第１接合部と前記第２接合部との間に設けられ、前記本体部と前記吸収体とを重ね合わせた状態で折り畳む際の前記本体部と前記吸収体との相対移動を規制する規制部とを備えることを特徴とする吸収性物品である。
【発明の効果】
【０００７】
本発明によれば、折り畳む際に本体部と吸収体が相対移動してしまうことを抑止する吸収性物品を提供することが可能である。
【発明を実施するための最良の形態】
【０００８】
本明細書及び図面には、少なくとも次の事項が開示されている。
【０００９】
吸収性物品の本体部と、前記本体部に重ね合わせられ、液を吸収する吸収部材を有する吸収体であって、長手方向の一端部が第１接合部にて前記本体部に接合され、他端部が第２接合部にて前記本体部に接合される吸収体と、前記第１接合部と前記第２接合部との間に設けられ、前記本体部と前記吸収体とを重ね合わせた状態で折り畳む際の前記本体部と前記吸収体との相対移動を規制する規制部とを備えることを特徴とする吸収性物品である。  
このような吸収性物品によれば、本体部と吸収体を重ね合わせた状態で該吸収性物品を折り畳む際に、規制部により第１接合部と第２接合部の間の本体部と吸収体の相対移動を抑えられ、第１吸収体上の第２吸収体の取付位置から第２吸収体がずれて折り畳まれることを防げる。例えば、吸収性物品を折り畳んで個別包装する際に、本体部の長手方向に対して吸収体が傾いた状態で折り畳まれてしまうことを防げる。
【００１０】
かかる吸収性物品であって、前記第１接合部では、前記本体部と前記吸収体とが剥離不能に接合され、前記第２接合部では、前記本体部と前記吸収体とが剥離可能に接合されることを特徴とする。  
このような吸収性物品によれば、吸収体の第２接合部側は、第１接合部を支点として前後方向に旋回可能となるため、吸収性物品の着用時に吸収体の位置を調整しやすくなる。
【００１１】
かかる吸収性物品であって、前記第１接合部と前記規制部との間に折り位置が設けられることを特徴とする。  
このような吸収性物品によれば、前記折り位置にて本体部と吸収体を折り畳む際に、折り位置よりも第１接合部側の本体部と吸収体の相対移動を第１接合部により抑えることができ、折り位置よりも規制部側の本体部と吸収体の相対移動を規制部により抑えることができる。
【００１２】
かかる吸収性物品であって、前記第２接合部と前記規制部との間に折り位置が設けられることを特徴とする。  
このような吸収性物品によれば、前記折り位置にて本体部と吸収体を折り畳む際に、折り位置よりも第２接合部側の本体部と吸収体の相対移動を第２接合部により抑えることができ、折り位置よりも規制部側の本体部と吸収体の相対移動を規制部により抑えることができる。
【００１３】
かかる吸収性物品であって、前記規制部が複数ある場合、複数の前記規制部の間に折り位置が設けられることを特徴とする吸収性物品。  
このような吸収性物品によれば、前記折り位置にて本体部と吸収体を折り畳む際に、各規制部により本体部と吸収体の相対移動を抑えることができる。
【００１４】
かかる吸収性物品であって、前記本体部は、前記長手方向と交差する方向に突出した保持部を有し、前記保持部が前記吸収体側に折り返され、折り返された前記保持部の上面と剥離可能に接着されたシートと、前記本体部とで、前記吸収体を挟んだ保持規制部が前記規制部として前記相対移動を規制することを特徴とする。  
このような吸収性物品によれば、本体部とシートとの間に吸収体を挟むことで、吸収体と本体部の相対移動を抑えることができる。
【００１５】
かかる吸収性物品であって、前記保持規制部は、折り返された複数の前記保持部の上面と剥離可能に接着されたシートと、前記本体部とで、前記吸収体を挟んでいることを特徴とする。  
このような吸収性物品によれば、折り返された複数の保持部の上面がシートで覆われるため、長手方向の広い範囲で吸収体と本体部の相対移動を抑えることができる。
【００１６】
かかる吸収性物品であって、前記シート上に折り位置が設けられることを特徴とする。  
このような吸収性物品によれば、折り位置近傍部は本体部と吸収体が相対移動しやすいため、シート上に折り位置が設けられることで、本体部と吸収体の相対移動を確実に抑えることができる。
【００１７】
かかる吸収性物品であって、前記保持部は着衣に対して前記本体部の取り付け位置を保持することを特徴とする。  
このような吸収性物品によれば、着用時に吸収性物品と着衣がずれてしまうことを防ぐ保持部を、保持規制部の一部として利用することができる。即ち、本体部と吸収体の相対移動を防ぐためだけの規制部を特別に設ける必要がない。
【００１８】
かかる吸収性物品であって、前記本体部と前記吸収体とを再接合可能に接合する仮接合規制部が前記規制部として前記相対移動を規制することを特徴とする。  
このような吸収性物品によれば、仮接合規制部により、折り畳む際の本体部と吸収体の相対移動を規制した後、本体部と吸収体を分離することで、着用時の吸収体の位置を調整することができる。また、調整した吸収体の位置にて、仮接合規制部により本体部と吸収体を再接合することができ、着用中に吸収体が適正な位置で保持される。また、保持部と同様に、本体部に対する吸収体の位置を保持するための仮接合規制部を規制部として利用することができ、本体部と吸収体の相対移動を抑えるためだけの規制部を特別に設ける必要がない。
【００１９】
かかる吸収性物品であって、前記仮接合規制部は折り位置と重ならないことを特徴とする。  
このような吸収性物品によれば、仮接合規制部が剛性の高い部材により接合される場合に、折り畳み難くなることを防ぐことができる。
【００２０】
かかる吸収性物品であって、前記保持規制部は、前記第１接合部と前記仮接合規制部の間に設けられ、前記仮接合規制部は、前記保持規制部と前記第２接合部の間に設けられることを特徴とする。  
このような吸収性物品であって、保持規制部と仮接合規制部により本体部と吸収体の相対的な移動を抑えることができる。
【００２１】
かかる吸収性物品であって、前記保持規制部と前記仮接合規制部との間に中間折り位置が設けられ、前記仮接合規制部と前記第２接合部との間に端部折り位置が設けられ、前記中間折り位置よりも先に前記端部折り位置で、前記本体部と前記吸収体が折り畳まれる場合、前記仮接合規制部は、前記中間折り位置と前記端部折り位置の中央より前記端部折り位置に近い位置に設けられることを特徴とする。  
このような吸収性物品によれば、折り位置近傍部は本体部と吸収体が相対移動しやすいため、１回目に端部折り位置にて折り畳む際の吸収体と本体部の相対移動を確実に防止することができる。なお、２回目に中間折り位置にて折り畳む際には１回目の折りにより本体部と吸収体の一部が折り重ねられるため、１回目よりも２回目の方が本体部と吸収体とが相対移動しにくいため、端部折り位置よりに仮接合規制部が設けられても問題はない。
【００２２】
かかる吸収性物品であって、前記保持規制部と前記仮接合規制部との間に中間折り位置が設けられ、前記仮接合規制部と前記第２接合部との間に端部折り位置が設けられ、前記仮接合規制部は、前記中間折り位置と前記端部折り位置の中央に設けられることを特徴とする。  
このような吸収性物品によれば、端部折り位置で折る際にも、中間折り位置で折る際にも、本体部と吸収体との相対移動を防ぐ効果を同様に得られる。
【００２３】
かかる吸収性物品であって、複数の前記保持規制部を備えることを特徴とする。  
このような吸収性物品によれば、複数の保持部規制部により本体部と吸収体の相対移動を抑えることができる。
【００２４】
かかる吸収性物品であって、前記本体部と前記吸収体とを再接合可能に接合する仮接合規制部が前記規制部として前記相対移動を規制することを特徴とする。  
このような吸収性物品によれば、仮接合規制部により本体部と吸収体の相対移動を抑えることができる。
【００２５】
＝＝＝本実施形態＝＝＝
〈生理用ナプキンの概略構成〉
以下、吸収性物品を生理用ナプキン１として説明する。まず、本実施形態の生理用ナプキン１の構成の概要について説明する。以下では、人体に接触する側を表面側とし、下着９０（着衣に相当）に接する側を裏面側とし、装着時に人体の前側に位置する端部を前端部とし、後側に位置する端部を後端部として説明する。また、生理用ナプキン１の表面又は裏面の法線方向を厚み方向とする。図１は、展開状態の生理用ナプキン１の表面側の平面図であり、図２は、図１中のII−II断面図である。また、図３は、生理用ナプキン１の斜視図であり、図４は、生理用ナプキン１の着用時の斜視図である。
【００２６】
この生理用ナプキン１は、ベース吸収体１０（本体部に相当）と、ベース吸収体１０の表面に重ね合わせられ、ベース吸収体１０の幅方向における中央に、長手方向に沿って配置されたトップ吸収体２０（吸収体に相当）とを備えている。また、生理用ナプキン１は全体として所定方向に長い形状を成し、以下では、この所定方向を長手方向とし、この長手方向と直交する方向を幅方向とする。なお、前記長手方向は、装着状態において人体の前後方向と一致する。
【００２７】
また、トップ吸収体２０は、その前端部２０ａがベース吸収体１０の前端部１０ａに接合される一方、後端部２０ｂは、前端部２０ａを支点としてベース吸収体１０から分離して移動可能な自由端になっている。よって、生理用ナプキン１の使用者は、図４に示すように、まず、長手方向が人体の前後方向に沿うようにベース吸収体１０を下着９０の内面に付着固定し、下着９０をはいた状態においてトップ吸収体２０の後端部２０ｂを引き上げ、トップ吸収体２０が臀部等の溝に入り込むように装着する。そして、主にトップ吸収体２０によって前記溝から排泄される経血等の液体が吸収される。
【００２８】
ちなみに、この生理用ナプキン１にあっては、図１に示すように、生理用ナプキン１の幅方向における中心線ＣＬ上であって、長手方向における中央より前側に、膣口（人体排泄口に相当）対面想定位置Ｚが位置するようになっている。すなわち、生理用ナプキン１にあっては、膣口対面想定位置Ｚから後側の長さの方が、同位置Ｚから前側の長さより長く形成されている。
【００２９】
以下、生理用ナプキン１の各構成要素について詳細に説明する。
【００３０】
＜ベース吸収体１０について＞
図５は、ベース吸収体１０の表面側の平面図であり、図６は同裏面側の平面図であり、図７Ａから図７Ｃは、それぞれ、図５中のＡ−Ａ断面図、同Ｂ−Ｂ断面図、同Ｃ−Ｃ断面図である。なお、これらの図中ではトップ吸収体２０を透視しつつその外形線のみを仮想的に点線で示している。
【００３１】
ベース吸収体１０の平面形状は、長手方向に長尺な略長方形である。そして、ベース吸収体１０は、液体を吸収する吸収体基材１２と、少なくとも吸収体基材１２の表面側をその全面に亘って覆って設けられた表面シート１４と、吸収体基材１２に吸収された液体の裏面側への漏れを防止するための裏面シート３０と、幅方向の外側への液体の漏れを防ぐ防漏壁４６を形成するためのサイドシート４０と、を有する。
【００３２】
吸収体基材１２は、パルプを粉砕した粉砕パルプを積層させた粉砕パルプ積層体１２ａと、粉砕パルプ積層体１２ａの中に混入された高吸収性ポリマーと、粉砕パルプ積層体１２ａを包むティッシュペーパー等の液透過性シート（不図示）と、を有する。
【００３３】
表面シート１４は液透過性シートであり、その素材は適宜な不織布等で、例えば、ポリエステルやポリエチレン等の合成樹脂繊維で形成されたエアースルー不織布や同スパンレース不織布等が親水化処理等されて使用される。
【００３４】
そして、表面シート１４と吸収体基材１２はホットメルト系接着剤を介在させて溝付きエンボス加工により、厚み方向に圧縮され、接合一体化される。溝付きエンボス加工とは互いに対向する一対の挟圧部材（不図示）を用いて行われる。一対の挟圧部材のうちの一方の挟圧部材は、連続するリブ状の突部を有すると共に、リブ状の突部の頂部には更に島状の突部がリブ状の突部の連続方向に関して間欠的に設けられている。また、もう一方の挟圧部材におけるリブ状の突部と対向する面は平坦に形成されている。よって、溝付きエンボス加工後の表面シート１４と吸収体基材１２に形成される圧縮溝１５は、図５に示すように、低い圧縮率で圧縮された低圧縮部１５ａと、それよりも高い圧縮率で圧縮された高圧縮部１５ｂとが圧縮溝１５の延在方向に交互に形成されている。
【００３５】
また、このような圧縮溝１５が形成された領域の剛性は高くなる。図５に示すように、ベース吸収体上には長手方向に沿って略４本の圧縮溝が形成されるため、ベース吸収体１０は幅方向に変形し難くなる。例えば、幅方向に突出した保持部３２（後述）が存在する中央領域Ｒｃでは、人体の股間が当接して幅方向に挟み込まれるため、仮に中央領域Ｒｃの幅方向の剛性が小さいと、股間による挟み込みに抗しきれずに中心線ＣＬに沿ってベース吸収体１０は折れてしまう。すると、トップ吸収体２０はベース吸収体１０に両脇から挟み込まれ、トップ吸収体２０に長手方向に沿って形成された皺等により、トップ吸収体２０と臀部の溝との密着性が悪くなってしまう。このような剛性が必要な領域を対象に選択的に圧縮溝１５が形成される。
【００３６】
裏面シート３０は、例えばポリエチレンやポリプロピレン等を素材とする液不透過性シートであり、その形状は、長手方向には吸収体基材１２よりも長く、幅方向には吸収体基材１２よりも広い形状である。そして、図７Ｂに示すように、裏面シート３０の表面側に、ホットメルト系接着剤にて吸収体基材１２が接着され、また、図５に示す前端部３０ａ及び後端部３０ｂにおいて裏面シート３０と表面シート１４は溶着等により接合され、これにより、裏面シート３０と表面シート１４との間に吸収体基材１２が保持されている。ちなみに各シートの層間にはホットメルト系接着剤が介在していることが好ましい。
【００３７】
なお、図６に示すように、裏面シート３０の裏面側には、生理用ナプキン１を下着９０の内面に配置した後に、その配置位置から生理用ナプキン１がずれないように下着９０の内面に付着固定するための「ずれ止め用付着部３１」が設けられている。このずれ止め用付着部３１は、例えば、裏面シート３０の裏面における所定範囲に塗布されたホットメルト系接着剤であり、ベース吸収体１０の前端部１０ａから後端部１０ｂまでに亘って連続して形成されている。
【００３８】
また、下着９０と生理用ナプキン１とのずれ止めをより強固なものにすべく、図６に示すように、裏面シート３０の幅方向の両端には、保持部３２が幅方向の外側に突出して形成されている。保持部３２の裏面にも「ずれ止め用付着部３３」が設けられおり、保持部３２は図４に示すように外側に折り返され、ずれ止め用付着部３３によって下着９０の外面に付着固定される。ちなみに、長手方向に関する保持部３２の中心位置と、前述の膣口対面想定位置Ｚとは一致している。
【００３９】
サイドシート４０は、図７Ｂに示すように吸収体基材１２の幅方向の両端部の近傍位置に防漏壁４６を形成するためのものであり、図５に示すように長手方向に沿って表面シート１４を表面側から覆って設けられている。なお、サイドシート４０は疎水性シートからなり、その素材としては、例えば、ポリプロピレンやポリエチレン等の合成樹脂繊維で形成されたスパンボンド不織布等が使用される。
【００４０】
詳しくは、図５に示すように、幅方向に一対のサイドシート４０が、幅方向の中心線ＣＬに関して線対称に配置され、長手方向に沿って裏面シート３０の前端部３０ａから後端部３０ｂまで、つまり生理用ナプキン１の外形輪郭まで延びている。そして、図７Ｂに示すように、各サイドシート４０は、それぞれに、吸収体基材１２の幅方向の両端部の近傍位置において表面シート１４に圧着固定されて固定部４４が形成されており、この固定部４４から端部４６が自由端になっている。この端部４６には、弾性部材４８が伸長下の状態で長手方向に沿って固定されている。よって、表面シート１４が内側となるように生理用ナプキン１を湾曲させると弾性部材４８が収縮し、これによって、自由端たる前記端部４６は表面シート１４から起立して防漏壁４６となる。なお、防漏壁たる端部４６の長手方向の前端部及び後端部は、図７Ａ及び図７Ｃに示すように、表面シート１４側に伏せられた状態でホットメルト系接着剤によりサイドシート４０に接合されており、起立しない未起立部となっている。
【００４１】
また、これらサイドシート４０は、それぞれに、固定部４４から更に幅方向の外側へと延出しており、つまり、その外端縁は裏面シート３０の外形輪郭、つまり生理用ナプキン１の外形輪郭にまで達している。そして、外端縁（図５中で網掛けで示す部分を参照）は、裏面シート３０の幅方向の外端縁と長手方向に亘ってホットメルト系接着剤等により接合される。
【００４２】
＜トップ吸収体２０について＞
図８は展開状態のトップ吸収体２０の平面図であり、図９Ａから図９Ｅは、それぞれ、図８中のＡ−Ａ断面図、同Ｂ−Ｂ断面図、同Ｃ−Ｃ断面図、同Ｄ−Ｄ断面図、同Ｅ−Ｅ断面図である。
【００４３】
トップ吸収体２０は、液体を吸収する粉砕パルプ積層体２２と、粉砕パルプ積層体２２よりも表面側に配された中間シート２３と、これら粉砕パルプ積層体２２及び中間シート２３をひとまとめに包み込み、これら粉砕パルプ積層体２２等を長手方向に長い長尺体形状に保持するための保形シート２４と、を有している。
【００４４】
中間シート２３は、保形シート２４よりも液体の引き込み性に優れた液透過性シートであり、その素材としては、例えばポリプロピレン等の合成樹脂繊維で形成されたエアースルー不織布等が使用される。この中間シート２３は、保形シート２４と重ね合わされた状態で開孔エンボス加工が施され、これにより中間シート２３は保形シート２４に接合一体化される。
【００４５】
ちなみに、開孔エンボス加工は、互いに対向する一対の加工部材（不図示）を用いて行われる。すなわち、一方の加工部材には円錐状の突部が設けられており、対向する他方の加工部材には前記突部が入り込む穴部が設けられている。そして、前記突部が形成されている加工部材は加熱されており、円錐状の突部が、互いに重ね合わされた中間シート２３と保形シート２４とを貫通して多数の孔２８（図１を参照）が形成される際に孔縁部が熱融着されることにより中間シート２３は保形シート２４に接合一体化される。
【００４６】
保形シート２４は、液透過性シートであり、その素材には、例えば前述のベース吸収体１０の表面シート１４と同素材が用いられる。この保形シート２４をシート状に平坦に展開した際の平面形状は略長方形である。そして、この展開状態の保形シート２４にホットメルト系接着剤を全面に塗った状態で、図９Ｂに示すように筒体状に丸めるとともに、その幅方向の両端部２４ｅを重ね合わせてホットメルト系接着剤にて接合した状態において、その筒体の内側には前記粉砕パルプ積層体２２や中間シート２３が長手方向に亘って収容される。
【００４７】
また、図８に示す保形シート２４における長手方向の前側の部分２４ｃ及び後側の部分２４ｄは、それぞれに、図９Ａ及び図９Ｅに示すように粉砕パルプ積層体２２や中間シート２３が無い状態で折り畳まれるとともに、当該畳まれた部分２４ｃ、２４ｄにホットメルト系接着剤（不図示）が介在された状態でエンボス加工による圧着が施され、これにより保形シート２４の長手方向の前端部２４ｃ及び後端部２４ｄは封止されて、薄厚の封止部２５、２６となっている。
【００４８】
更には、図８及び図９Ｄに示すように、トップ吸収体２０の後端部２０ｂであって少なくとも粉砕パルプが存在する部分には、粉砕パルプ積層体を裏面側から覆って防漏シート５１が設けられている。この防漏シート５１は液不透過性シートであり、粉砕パルプ積層体２２が吸収した液体がトップ吸収体２０の外面に染み出すのを防ぐ機能を有する。つまり、生理用ナプキン１の使用時においては、図４に示すようにトップ吸収体２０の後端部２０ｂがベース吸収体１０の後端縁１０ｅよりも後方へ飛び出す場合があり得て、その場合にトップ吸収体２０の後端部２０ｂの外面に液体が染み出していると、トップ吸収体２０の後端部２０ｂが下着９０と接触した際に下着９０を汚してしまうことを防げる。この防漏シート５１の素材としては、液体を完全に遮断できるポリエチレンやポリプロピレン等の無孔フィルムが望ましいが、完全に遮断できなくても良く、例えば撥水性繊維からなる不織布等でも良い。
【００４９】
〈トップ吸収体２０とベース吸収体１０との接合について〉
図１に示すように、トップ吸収体２０は、ベース吸収体１０の表面側に、それぞれの幅方向の中心線ＣＬを揃えて重ね合わせられる。即ち、ベース吸収体１０の幅方向の中心線ＣＬとトップ吸収体２０の幅方向の中心線ＣＬが重なり、トップ吸収体の前端部２０ａとベース吸収体の前端部１０ａとを揃えた位置が、ベース吸収体１０上のトップ吸収体２０の取付位置となる（厳密にはトップ吸収体の前端部２０ａの方がベース吸収体の前端部１０ａよりも突出している）。なお、トップ吸収体２０をベース吸収体１０上の取付位置に配置すると、トップ吸収体２０の後端側の封止部２６は、例えば使用者が摘むことができる程度にベース吸収体１０の外形輪郭から後方に突出されており、つまり、この後側の封止部２６の後端部分は、装着する際などに使用者が摘むための摘み部２６ａとして機能する。
【００５０】
そして、トップ吸収体２０がベース吸収体１０上の取付位置に配置された状態で、トップ吸収体２０の前端部２０ａが、ベース吸収体１０の前端部１０ａに強固に本接合される。この強固に本接合される、図５に濃色で示す領域を第１接合部１０ｇとする。本実施形態では、ベース吸収体１０の第１接合部１０ｇ（本接合部）に、長手方向に沿う複数の直線からなるパターンでホットメルト系接着剤が塗布され（図中ではＨＭＡと記す）、接着剤が塗布された部位とトップ吸収体２０の前端部２０ａが接着されることにより、本接合される。ここで本接合とは、トップ吸収体２０とベース吸収体１０とを故意に分離させようとすると、トップ吸収体２０とベース吸収体１０の少なくともいずれか一方の破損を伴うことが余儀なくされる程度に強固に接合された分離不能な状態を言う。本接合の他の方法として、溝付きエンボス加工などが挙げられる。また、本実施形態では、図２に示すように、トップ吸収体２０の封止部２５（長手の長さＬａ）だけでなく粉砕パルプ積層体２２が存在する部分（長手の長さＬｇ）まで本接合される。仮に、トップ吸収体２０側の本接合の対象部分を、封止部２５のみとすると、剛性が小さくなり過ぎて、全体としてトップ吸収体２０が前後にふらつきやすくなってしまうからである。
【００５１】
生理用ナプキン１の未使用時には、トップ吸収体２０がベース吸収体１０上の取付位置に配置された状態で、トップ吸収体２０の後側の封止部２６とベース吸収体１０の後端部１０ｂとがエンボス加工により仮接合されている。仮接合される領域である第２接合部１０ｈを図１に濃色で示す。ここで仮接合とは、ベース吸収体１０及びトップ吸収体２０の機能を損なうことなく使用者がトップ吸収体２０をベース吸収体１０から容易に分離できる程度に弱く接合された状態を言う。
【００５２】
また、図８に示すように、トップ吸収体２０の裏面側には、トップ吸収体２０の後端部２０ｂをベース吸収体１０の表面シート１４の後方領域に固定するための係止部２７が設けられている。この係止部２７により、生理用ナプキン１の使用中におけるトップ吸収体２０の動きは規制され、トップ吸収体２０の位置は、装着時に調整された好適な位置に維持される。それに加え、本実施形態の生理用ナプキン１では、未使用時に、トップ吸収体２０がベース吸収体１０上の取付位置に配置された状態で、係止部２７によりトップ吸収体２０とベース吸収体１０とが仮接合される。即ち、係止部２７により未使用時のベース吸収体１０とトップ吸収体２０の相対移動が規制される。そのため、本実施形態の係止部２７は再接合可能な部材とする。
【００５３】
係止部２７として、粘着材やフック材（面ファスナーの雄材）等を用いることができる。例えば、キノコ型形状の複数のピンが配列されているフック材では、ベース吸収体１０の表面シート１４の繊維にキノコ型形状のピンが絡まることによりトップ吸収体がベース吸収体に係止される。また、平面から所定の角度に傾いた複数の針状のピンが配列されているフック材では、一方向に引っ張る際には繊維に引っ掛かり難く、一方向には係止が解除されやすくなり、他方向には引っ張る際には繊維が引っ掛かり易く、他方向には係止されやすいフック材等が挙げられる。また、係止力を高める目的で、トップ吸収体２０側に設けられた面ファスナーの雄材に対応する面ファスナーの雌材をベース吸収体１０側に設けても良い。ベース吸収体１０側に雄材を配置していてもよく、更にはトップ吸収体２０側に雌材を配置しても良い。
【００５４】
〈生理用ナプキン１の包装について〉
次に、生理用ナプキン１の包装方法について説明する。図１０は包装される生理用ナプキン１が折り畳まれる工程を説明するための図であり、図１０Ａは折り畳まれる前の生理用ナプキン１の状態を示す図であり、図１０Ｂは第１折り位置にて折り曲げられる生理用ナプキン１を示す図であり、図１０Ｃは第２折り位置にて折り曲げられる生理用ナプキン１を示す図であり、図１０Ｄは第３折り位置にて折り曲げられる生理用ナプキン１を示す図である。
【００５５】
生理用ナプキン１は、保持部３２がトップ吸収体２０側に折り曲げられると共に、両側の保持部３２の裏面側の接着剤３３を覆う保護シート３５が設けられる。保護シート３５が設けられた状態の生理用ナプキン１は、裏面側に配置された長方形状の包装シート３６と共に、搬送されつつ長手方向における３カ所にて折り畳まれる。このとき、ベース吸収体１０とトップ吸収体２０とは重ね合わされた状態で、トップ吸収体２０が内側に位置するように表面側に折り曲げられて畳まれる。
【００５６】
ちなみに、接着剤３３と剥離剤とが塗布された保護シート３５の面と、折り返される前の保持部３２の裏面とが対向するように、保持部３２と保護シート３５とが接着する。その後、保護シート３５と接着した保持部３２がトップ吸収体２０側に折り返され、２枚の保護シート３５は幅方向の中央の重ね合わせられた部分にて、予め塗布されていた接着剤により連結一体化される。その後、連結一体化した保護シート３５の剥離剤が塗布された面と反対側の面には接着剤のみが塗布され、生理用ナプキン１が折り畳まれる際に、保護シート３５上の接着剤と包装シート３６の後端部が重ね合わせられる。こうすることで、使用者が生理用ナプキン１の包装を解く際に、剥離剤の作用により、保持部３２の方に接着剤３３が移着して残り、保持部３２に「ずれ止め用付着部３３」が形成される。
【００５７】
生理用ナプキン１および包装シート３６は、折り畳まれる際に、長手方向が搬送方向と交差するように向けられて搬送台（不図示）上を搬送される。搬送される生理用ナプキン１および包装シート３６は、第１折り位置にて、搬送方向と交差する方向に沿わされた軸にて回動する第１円盤６０と搬送台との間に挟まれ、第１円盤６０より生理用ナプキン１の後端側に設けられたガイド部材（不図示）により第１折り位置から曲げ起こされる。ガイド部材は、第１円盤６０付近から搬送方向の前方側に向かって曲げ角度が大きくなるように形成されており、生理用ナプキン１および包装シート３６は、搬送されつつ徐々に大きく曲げ起こされることにより折り畳まれる。
【００５８】
第１折り位置にて折り畳まれた生理用ナプキン１および包装シート３６は、第２折り位置に合わせて第２円盤６１が配置された位置まで搬送される。そして、生理用ナプキン１および包装シート３６は、第２円盤６１と搬送台との間に挟まれ、第２円盤６１に対し既に折り曲げられた側に設けられたガイド部材（不図示）により第２折り位置から曲げ起こされる。ガイド部材は、第２円盤６１付近から搬送方向の前方側に向かって曲げ角度が大きくなるように形成されており、生理用ナプキン１および包装シート３６は、搬送されつつ徐々に大きく曲げ起こされることにより折り畳まれる。
【００５９】
第２折り位置にて折り畳まれた生理用ナプキン１および包装シート３６は、第３折り位置に合わせて第３円盤６２が配置された位置まで搬送される。そして、生理用ナプキン１および包装シート３６は、第３円盤６２と搬送台との間に挟まれ、第３円盤６２に対し生理用ナプキンの前端側に設けられたガイド部材（不図示）により第３折り位置から曲げ起こされる。ガイド部材は、第３円盤６２付近から搬送方向の前方側に向かって曲げ角度が大きくなるように形成されており、生理用ナプキン１および包装シート３６は、搬送されつつ徐々に大きく曲げ起こされることにより折り畳まれる。
【００６０】
このように、３回の折り曲げ工程を経て、生理用ナプキン１は折り畳まれるとともに包装シート３６により包まれた状態となる。包装シート３６における前側に設けられたリードテープ３８が包装シート３６の外面に貼り付けられる。生理用ナプキン１とともに折り畳まれた包装シート３６の長手方向における縁部３６ｃは、折り畳まれながら接着され、使用者に供給される。
【００６１】
なお、図２の断面図で示すように、長手方向の三カ所Ｐ１、Ｐ２、Ｐ３には、各々長手方向の他の部分よりも粉砕パルプの坪量を幅方向に亘って少なくした部分が存在している。これらの部分は、後述する包装時に生理用ナプキン１を四つ折りし易くするためのものである。つまり、長手方向の位置Ｐ１、Ｐ２、Ｐ３は、それぞれ、包装時の折り位置に対応し、後端部側の折り位置Ｐ１を第１折り位置Ｐ１とし、前端部側の折り位置Ｐ３を第３折り位置Ｐ３とし、これらの間の中央側の折り位置Ｐ２を第２折り位置Ｐ２とする。
【００６２】
〈人体への生理用ナプキン１の装着について〉
前述の包装状態で使用者の手に渡った生理用ナプキン１は、使用者がリードテープ３８を剥がすことにより包装シート３６が開封され、それに伴って、保護シート３４、３５が剥がされて裏面シート３０の裏面のずれ止め用付着部３１及び保持部３２の裏面のずれ止め用付着部３３が露呈される。
【００６３】
取り出された生理用ナプキン１は、図４に示すように下着９０の任意の位置に配置されてずれ止め用付着部３１により下着９０の内面に付着固定されるととともに、保持部３２は下着９０側に折り返されて、そのずれ止め用付着部３３により下着９０の外面に付着固定される。生理用ナプキン１が固定された下着が身体側に引き上げられた後、使用者により摘み部２６ａが摘まれトップ吸収体２０が引き上げられることにより、ベース吸収体１０とトップ吸収体２０との仮接合が解除されてベース吸収体１０からトップ吸収体２０の後端２０ｂ側が分離される。
【００６４】
その後、使用者が摘み部２６ａを長手方向に移動させることにより、トップ吸収体２０が人体の臀部等の溝に入り込んで密着するようにトップ吸収体２０の位置調整がなされる。そして、トップ吸収体２０が位置調整された状態で、図４に示すように、トップ吸収体２０の係止部２７がベース吸収体１０もしくは下着９０の内面に係止固定され、また、体型によってはベース吸収体１０を通り越して下着９０に係止される。これにより、人体に好適に当接された状態でトップ吸収体２０が位置決めされる。
【００６５】
＝＝＝折り位置と規制部について＝＝＝
図１１Ａは、本実施形態とは異なる比較例の生理用ナプキン２が折り畳まれる直前の状態を示す図である。図１１Ｂは、比較例の生理用ナプキン２が第１折り位置Ｐ１にて折り畳まれる様子を示す図である。比較例の生理用ナプキン２では、第２接合部１０ｈ（図中に格子で示された部位）よりも後端側のトップ吸収体２０の裏面側に係止部２７が設けられている。即ち、前述の本実施形態の生理用ナプキン１では、未使用時に係止部２７によりトップ吸収体２０とベース吸収体１０が仮接合されるのに対して、比較例の生理用ナプキン２では、未使用時に、第１接合部１０ｇ（図中に格子で示された部位）と第２接合部１０ｈの間のトップ吸収体２０とベース吸収体１０とが係止部２７により仮接合されることはない。
【００６６】
また、前述の本実施形態の生理用ナプキン１は、保持部３２がトップ吸収体２０側に折り返され、折り返された保持部３２の上面に接着された保護シート３５とベース吸収体１０とでトップ吸収体２０が挟まれた状態で折り畳まれるのに対して（図１０）、比較例の生理用ナプキン２は、保持部３２がトップ吸収体２０側に折り返されずに広げられた状態で折り畳まれる。なお、比較例の生理用ナプキン２では広げられた保持部３２の裏面側に接着剤３３を介して保護シート３５’が設けられている。
【００６７】
また、比較例の生理用ナプキン２の前端側は、本実施形態の生理用ナプキン１と同様に、トップ吸収体２０とベース吸収体１０とが本接合された第１接合部１０ｇであり、後端側はトップ吸収体２０とベース吸収体１０とが仮接合された第２接合部１０ｈである。即ち、トップ吸収体２０とベース吸収体１０との仮接合を解除する以上の力を加えない限り、第１接合部１０ｇと第２接合部１０ｈにおいては、トップ吸収体２０がベース吸収体１０上の取付位置からずれてしまうことはない。これに対して、第１接合部１０ｇと第２接合部１０ｈとの間にはトップ吸収体２０とベース吸収体１０の相対移動を規制する部位がなく、トップ吸収体２０がベース吸収体１０上の取付位置からずれやすくなっている。
【００６８】
つまり、個別包装のために比較例の生理用ナプキン２を折り畳む際に、トップ吸収体２０とベース吸収体１０が相対移動して、トップ吸収体２０がベース吸収体１０上の取付位置からずれてしまうおそれがある。特に、図１０Ｂ及び図１１Ｂに示すように、本実施形態と比較例の生理用ナプキンは、第１折り位置Ｐ１にて搬送台（不図示）と第１円盤６０とに挟まれて折り畳まれるため、円盤により生理用ナプキンの搬送動作が阻害され、トップ吸収体２０がベース吸収体１０上の取付位置からずれる可能性が高くなる。例えば、ベース吸収体１０は搬送台に吸引されながら搬送されるとすると、ベース吸収体１０は円盤の影響を受けにくいが、トップ吸収体２０は円盤の影響を受けやすく、トップ吸収体２０がベース吸収体１０に対して搬送方向に対応する幅方向にずれたり、生理用ナプキン２が搬送台と円盤の細い隙間に入る際に、トップ吸収体２０が円盤と接触して搬送方向と逆方向に押されたりすることが考えられる。
【００６９】
図１１Ｃは、トップ吸収体２０がベース吸収体１０に対してずれた状態で折り畳まれた比較例の生理用ナプキン２の包装が解かれた状態を示す図である。図示するように、トップ吸収体２０がベース吸収体１０上の取付位置からずれた状態で折り畳まれると、トップ吸収体２０の表面シート１４に不規則な無数のしわが生じてしまう。そうすると、身体に当接された表面シート１４と吸収体基材１２との間に間隙が生じ、その間隙から液体が漏れるおそれがある。また、トップ吸収体２０に不規則な無数のしわが生じていたり、ベース吸収体１０の長手方向の側辺に対してトップ吸収体２０の長手方向の側辺が曲がった状態で折り畳まれていたりすると、使用者が包装を解いて生理用ナプキン２を取り出した際の美観が悪く、製品に対する印象が良くない。
【００７０】
そこで、折り畳む際にトップ吸収体２０とベース吸収体１０が相対移動してしまうことを抑止する生理用ナプキンを提供することが本実施形態の目的となり、本実施形態では、生理用ナプキンを折り畳む際に、トップ吸収体２０とベース吸収体１０の相対移動が抑止されるように、第１接合部１０ｇと第２接合部１０ｈとの間に規制部を設ける。
【００７１】
図１２Ａは、本実施形態の生理用ナプキン１が折り畳まれる直前の状態を示す図である。保持部３２はトップ吸収体２０側に折り返され、折り返された保持部３２の上面と保護シート３５が接着している。そして、保持部３２と第２接合部１０ｈの間であり、第１折り位置Ｐ１と第２折り位置Ｐ２の中央部よりも第１折り位置Ｐ１側に係止部２７が設けられている。なお、第１折り位置Ｐ１と係止部２７は重なっていない。
【００７２】
ここで、第１接合部１０ｇと第２接合部１０ｈとの間において、トップ吸収体２０が、折り返された保持部３２の上面に接着された保護シート３５とベース吸収体１０とに挟まれることで、生理用ナプキン１を折り畳む際のトップ吸収体２０とベース吸収体１０の相対移動が規制される。つまり、折り返された保持部３２の上面に接着された保護シート３５とベース吸収体１０とでトップ吸収体２０を挟んだ部位である保持規制部１０１が、生理用ナプキン１を折り畳む際のトップ吸収体２０とベース吸収体１０との相対移動規制する規制部として機能する。
【００７３】
また、第１接合部１０ｇと第２接合部１０ｈとの間において、ベース吸収体１０と対向するようにトップ吸収体２０の裏側面に設けられた係止部２７により、トップ吸収体２０とベース吸収体１０とが仮接合されることで、生理用ナプキン１を折り畳む際のトップ吸収体２０とベース吸収体１０の相対移動が規制される。つまり、係止部２７によりトップ吸収体２０とベース吸収体１０とが仮接合された部位である仮接合規制部１０２が、生理用ナプキンを折り畳む際のトップ吸収体２０とベース吸収体１０との相対移動規制する規制部として機能する。
【００７４】
つまり、本実施形態の生理用ナプキン１は、第１接合部１０ｇと第２接合部１０ｈとの間に保持規制部１０１と仮接合規制部１０２とが設けられるため、折り畳む際にトップ吸収体２０とベース吸収体１０が相対移動することを抑えることができる。
【００７５】
次に、各折り位置での各規制部の働きについて説明する。本実施形態の生理用ナプキン１は包装シート３６と共に、搬送されつつ長手方向における３カ所にて折り畳まれ、一番後端側の第１折り位置Ｐ１から第２折り位置Ｐ２、第３折り位置Ｐ３の順に折り畳まれる。
【００７６】
第１折り位置Ｐ１と第１接合部１０ｇとの間では、保持規制部１０１と仮接合規制部１０２によりトップ吸収体２０とベース吸収体１０の相対移動が規制されるため、トップ吸収体２０がベース吸収体１０上の取付位置からずれることなく生理用ナプキン１は折り畳まれる。一方、第１折り位置Ｐ１と第２接合部１０ｈとの間には保持規制部１０１も仮接合規制部１０２も設けられていない。しかし、本実施形態の生理用ナプキン１では、第１折り位置Ｐ１と第２接合部１０ｈとの間隔が比較的狭いため、規制部を設けなくとも第２接合部１０ｈだけでトップ吸収体２０とベース吸収体１０の相対移動を規制することができる。その結果、トップ吸収体２０がベース吸収体１０上の取付位置からずれることなく、生理用ナプキン１は折り畳まれる。
【００７７】
また、生理用ナプキン１は折り位置にて円盤と搬送台に挟まれるため、折り位置、及び、折り位置近傍ほど、トップ吸収体２０は取付位置からずれやすくなる。そのため、例えば、生理用ナプキン１が第１折り位置Ｐ１にて折り畳まれる際には、保持規制部１０１よりも第１折り位置Ｐ１に近い仮接合規制部１０２によって、トップ吸収体２０とベース吸収体１０の相対移動が規制されることが重要となる。そして、仮接合規制部１０２が第１折り位置Ｐ１に近いほど、トップ吸収体２０とベース吸収体１０の相対移動を確実に防止することができる。そこで、本実施形態では、第１折り位置Ｐ１と第２折り位置Ｐ２の中央部よりも第１折り位置Ｐ１側に係止部２７を設け、仮接合規制部１０２とする。
【００７８】
但し、係止部２７は第１折り位置Ｐ１と重ならない位置に設ける。なぜなら、係止部２７としてフック材や接着剤等の剛性の高い部材が用いられるため、第１折り位置Ｐ１と係止部２７が重なっていると、生理用ナプキン１は折り畳まれ難くなるからである。
【００７９】
図１２Ｂは、第１折り位置Ｐ１にて生理用ナプキンが１回折り畳まれた状態を示す図である。第１折り位置Ｐ１にて折り畳まれた後、生理用ナプキンは第２折り位置Ｐ２にて折り畳まれる。第２折り位置Ｐ２と第１接合部１０ｇの間では、保持規制部１０１によりトップ吸収体２０とベース吸収体１０の相対移動が規制されるため、トップ吸収体２０がベース吸収体１０上の取付位置からずれることなく折り畳まれる。
【００８０】
一方、第２折り位置Ｐ２よりも後側では、仮接合規制部１０２（不図示）によりトップ吸収体２０とベース吸収体１０の相対移動が規制される。その他、第１折り位置Ｐ１にて折り畳まれた包装シート３６が接着剤７６を介して保護シート３５と接着されるため、第１折り位置Ｐ１にてトップ吸収体２０とベース吸収体１０が折り重ねられた部位が包装シート３６に挟まれる状態となっている。即ち、第２折り位置Ｐ２よりも後側は、仮接合規制部１０２だけでなく、図１２Ａにおける第１折り位置Ｐ１よりも後端側の部位と第１折り位置Ｐ１よりも前端側の部位とが折り重ねられることによっても、トップ吸収体２０とベース吸収体１０との相対移動が規制される。
【００８１】
そのため、仮接合規制部１０２にとって、第２折り位置Ｐ２（中間折り位置に相当）にて折り畳む際のトップ吸収体２０とベース吸収体１０の相対移動を規制することよりも、第１折り位置Ｐ１（端部折り位置に相当）にて折り畳む際のトップ吸収体２０とベース吸収体１０の相対移動を規制することの方が重要となる。そこで、前述の通り、第１折り位置Ｐ１と第２折り位置Ｐ２の中央部よりも第１折り位置Ｐ１側に仮接合規制部１０２を設ける。
【００８２】
図１２Ｃは、第２折り位置Ｐ２にて生理用ナプキンが折り畳まれた状態を示す図である。図１２Ｄは、第３折り位置Ｐ３にて生理用ナプキンが折り畳まれ、個別包装が終了した状態を示す図である。図１２Ｃに示すように、第３折り位置Ｐ３よりも前側では、第１接合部１０ｇとしてベース吸収体１０とトップ吸収体２０が本接合されているため、折り畳む際に、トップ吸収体２０がベース吸収体１０上の取付位置からずれることはない。また、第３折り位置Ｐ３よりも後側は、既に２回の折り工程において、トップ吸収体２０とベース吸収体１０が相対移動することなく折り重なっている。こうして、トップ吸収体２０はベース吸収体１０上の取付位置からずれることなく折り畳まれ、第３折り位置Ｐ３にて折り畳まれた後にリードテープ３８で固定され、生理用ナプキン１の個別包装は終了する。
【００８３】
以上をまとめると、本実施形態では、トップ吸収体２０とベース吸収体１０の長手方向の一端部が第１接合部１０ｇにて接合され、他端部が第２接合部１０ｈにて接合され、第１接合部１０ｇと第２接合部１０ｈとの間に、トップ吸収体２０とベース吸収体１０とを重ね合わせた状態で折り畳む際のトップ吸収体２０とベース吸収体１０との相対移動を規制する規制部を備えることを特徴とする。  
その結果、生理用ナプキン１を折り畳む際に、トップ吸収体２０とベース吸収体１０が相対移動してしまうことを抑止することができる。即ち、トップ吸収体２０がベース吸収体１０上の取付位置からずれることなく折り畳まれ、トップ吸収体２０とベース吸収体１０のそれぞれの幅方向の中心線ＣＬが揃った状態で折り畳まれた生理用ナプキン１を提供することができる。
【００８４】
なお、保持部３２は下着９０を固定するために用いられ、係止部２７は着用時のトップ吸収体２０の位置を固定するために用いられる。即ち、第１接合部１０ｇと第２接合部１０ｈとの間のトップ吸収体２０とベース吸収体１０の動きを規制する規制部を特別に設けることなく、規制部以外の機能も果たす保持部３２や係止部２７を規制部または規制部の一部として機能させることができる。
【００８５】
＝＝＝第１変形例の生理用ナプキン３＝＝＝
図１３は、第１変形例の生理用ナプキン３を示す図である。前述の実施形態では、図１２Ａに示すように仮接合規制部１０２（係止部２７）が第１折り位置Ｐ１と第２折り位置Ｐ２の中央部よりも第１折り位置Ｐ１側に設けられているが、これに限らず、第１接合部１０ｇと第２接合部１０ｈの間であれば係止部２７を何処に設けても構わない。例えば、図１３の第１変形例の生理用ナプキン３のように、第１折り位置Ｐ１と第２折り位置Ｐ２の中央部に仮接合規制部１０２（係止部２７）を設けてもよい。この場合、第１折り位置Ｐ１にて生理用ナプキン３を折り畳む際のトップ吸収体２０とベース吸収体１０の相対移動を規制する効果と、第２折り位置Ｐ２にて生理用ナプキン３を折り畳む際のトップ吸収体２０とベース吸収体１０の相対移動を規制する効果とが同等になる。
【００８６】
他に、第２折り位置Ｐ２近傍のトップ吸収体２０とベース吸収体１０の相対移動をより規制したい場合には、仮接合規制部１０２（係止部２７）を第１折り位置Ｐ１と第２折り位置Ｐ２の中央部よりも第２折り位置Ｐ２側に設ければよい。
【００８７】
また、前述の実施形態では、剛性の高い部材を係止部２７に用いているため、仮接合規制部１０２と折り位置を重ねていないが、これに限らない。例えば、剛性の低い部材を係止部２７に用いて、トップ吸収体２０とベース吸収体１０とを再接合可能に仮接合すれば、仮接合規制部１０２と折り位置を重ねてもよい。トップ収体とベース吸収体１０は折り位置にて最も相対移動しやすいため、折り位置に規制部を設けることで、トップ吸収体２０とベース吸収体１０の相対移動をより規制することができ、また、剛性の低い部材が折り位置と重なっていても、生理用ナプキンが折り畳み難くなることはない。
【００８８】
＝＝＝第２変形例の生理用ナプキン４＝＝＝
図１４Ａは、第２変形例の生理用ナプキン４の表面側を示す図である。図１４Ｂは、第２変形例の生理用ナプキン４の裏面側を示す図である。前述の図１に示す生理用ナプキン１に比べて、第２変形例の生理用ナプキン４のベース吸収体１０ｊは、保持部３２から後端側にかけて幅方向に徐々に広くなっている。このベース吸収体１０ｊの後方の幅方向に広がった部位を後方保持部３９とする。この後方保持部３９により、トップ吸収体２０及びベース吸収体１０ｊの後方部側方から流れ出ようとする液体を受け止めることができる。
【００８９】
後方保持部３９は、サイドシート４０に対して幅方向に突出しているため、保持部３２と同様にトップ吸収体２０側に折り返されて個別包装される。図１４Ｂに示す長手方向の一点鎖線が保持部３２と後方保持部３９とをトップ吸収体２０側へ折り返す際の折り返し位置とする。また、後方保持部３９の裏面側にも「ずれ止め用付着部７１」が形成される。このずれ止め用付着部７１は、ずれ止め用付着部３１と共に、生理用ナプキン４を下着９０の内面に付着固定する。
【００９０】
図１４Ｃは、第２変形例の生理用ナプキン４の保持部３２と後方保持部３９がトップ吸収体２０側へ折り返された状態を示す図である。折り返された保持部３２と後方保持部３９の上面に接着剤３３、７１を介して１枚の保護シート７０が設けられる。そのため、第１接合部１０ｇと第２接合部１０ｈの間のトップ吸収体２０は、ベース吸収体１０ｊと１枚の保護シート７０に挟まれるため、生理用ナプキン４を折り畳む際にトップ吸収体２０とベース吸収体１０ｊの相対移動が規制される。即ち、第２変形例の生理用ナプキン４では、折り返された保持部３２と後方保持部３９の上面に接着された１枚の保護シート７０とベース吸収体１０ｊとでトップ吸収体２０を挟んだ部位である保持規制部１０３が規制部として機能する。
【００９１】
第２変形例の生理用ナプキン４では、第１接合部１０ｇと第２接合部１０ｈの間の大部分が保持規制部１０３となり、保護シート７０上に第１折り位置Ｐ１と第２折り位置Ｐ２が設けられている。即ち、保持規制部１０３上に、トップ吸収体２０とベース吸収体１０ｊが最も相対移動しやすい折り位置が設けられるため、トップ吸収体２０がベース吸収体１０ｊ上の取付位置からずれてしまうことを確実に防止することができる。
【００９２】
また、前述の生理用ナプキン１と包装シート３６（図１２Ｂ）は第２折り位置Ｐ２にて折り畳む際に、折り重ねられたトップ吸収体２０とベース吸収体１０ｊが包装シート３６に挟まれているため、第２折り位置でのトップ吸収体２０とベース吸収体１０の相対移動が確実に規制されるが、図１４Ｃに示すように生理用ナプキン４に対して包装シート３６の後端側が短いと、折り返された包装シート３６と第２折り位置が重ならない（そのため、保護シート７０と包装シート３６の接着剤７６が第２折り位置Ｐ２よりも後側に設けられている）。この場合、第２変形例の生理用ナプキン４の様に、長手方向に長い１枚の保護シート７０上に第２折り位置Ｐ２が設けることで、折り位置でのトップ吸収体２０とベース吸収体１０の相対移動を規制することができる。
【００９３】
他に、前述の生理用ナプキン１では、図１２Ａに示すように、保持規制部１０１と第２接合部１０ｈの間に仮接合規制部１０２（係止部２７）を設けているが、第２変形例の生理用ナプキン４では保持規制部１０３が第２接合部１０ｈ近傍まで位置するため、第１接合部１０ｇと第２接合部１０ｈとの間に仮接合規制部（係止部２７）を設けなくともよい。例えば、トップ吸収体２０の後端部である封止部２６に係止部２７を設け、係止部２７によりトップ吸収体２０とベース吸収体１０ｊを仮接合し、第２接合部１０ｈとしてもよい。この場合、装着時に使用者がトップ吸収体２０の位置を調整した後に、係止部２７により、下着９０の後ろ身頃の肌側表面もしくは下着９０の縁部にトップ吸収体２０の後端を折り曲げて、トップ吸収体２０の位置を維持する方法も可能となる。
【００９４】
なお、折り返された保持部３２と後方保持部３９の上面に設けられる保護シートは１枚に限らない。図１５Ａ及び図１５Ｂは、第２変形例の生理用ナプキン４における保護シートの設置方法の参考例である。例えば、図１５Ａに示すように保持部３２と後方保持部３９のそれぞれに保護シート７２、７３を設け、第１接合部１０ｇと第２接合部１０ｈの間に２つの保持規制部１０１を設けても良い。
【００９５】
また、二層構造の生理用ナプキンでは、保持部３２をトップ吸収体側に折り返してから保護シートを設けようとすると、トップ吸収体２０とベース吸収体１０の段差により折り返られた保持部３２の上面が平面にならず、保持部３２の上面と保護シートが上手く接着せずに、保持部３２にずれ止め用付着部３３が正確に形成されないおそれがある。そこで、保持部３２と後方保持部３９を折り返す前に裏面側から、幅方向に示す右側の保持部３２の裏面（上面）と右側の後方保持部３９の裏面に１枚の保護シート７４を設け、左側の保持部３２の裏面と左側の後方保持部の裏面に１枚の保護シート７５を設ける。そして、左右のそれぞれの保持部３２と後方保持部３９と保護シート７４、７５とをトップ吸収体２０側に折り返し、中央の重ね合わされた部分にて接着剤により連結一体化する。そうすると、保持部３２及び後方保持部３９に正確にずれ止め用付着部３３、７１が形成される。
【００９６】
＝＝＝第３変形例の生理用ナプキン５＝＝＝
図１６は、第３変形例の生理用ナプキン５を示す図である。第３変形例の生理用ナプキン５は、前述の図１２Ａに示す生理用ナプキン１に比べて、第１接合部１０ｉの長手方向の長さが長いとする。第３変形例の生理用ナプキン５では、第２折り位置Ｐ２と第３折り位置Ｐ３の中央部よりも第２折り位置Ｐ２側まで、トップ吸収体２０とベース吸収体１０とが本接合されている。この場合、第２折り位置Ｐ２にて折り畳む際に、第１接合部１０ｉにより、第２折位置Ｐ２よりも前側のトップ吸収体２０とベース吸収体１０の相対移動が規制さるため、保持部３２をトップ吸収体２０側に折り返して、保護シート３５とベース吸収体１０とでトップ吸収体２０を挟まなくとも、トップ吸収体２０がベース吸収体１０上の取付位置からずれてしまうことを防げる。そのため、第１折り位置Ｐ１と第２折り位置Ｐ２との間に仮接合規制部１０２（係止部２７）を設ければ、第１接合部１０ｉと第２接合部１０ｈとの間に保持規制部１０１を設ける必要がない。但し、保持部３２をトップ吸収体２０側に折り畳んだ方が、生理用ナプキンは幅方向に小型に包装される。また、逆に言えば、保持部３２を設けない生理用ナプキンであれば、第２折り位置Ｐ２付近までトップ吸収体２０とベース吸収体を本接合すれば、第２折り位置Ｐ２にて生理用ナプキンを折り畳む際に、特別に規制部を設けなくとも、トップ吸収体２０とベース吸収体１０の相対移動が規制される。
【００９７】
＝＝＝第２実施形態＝＝＝
図１７から図１９に、第２実施形態の吸収性物品６（例：生理用ナプキン）の説明図を示す。図１７は第２実施形態の吸収性物品６の斜視図である。また、図１８はベース吸収体１０の表面側の平面図であり、図１９はトップ吸収体２０の表面側の平面図である。なお、図１８については、トップ吸収体２０の外形線を仮想的に点線で示している。前述の実施形態では、トップ吸収体２０とベース吸収体１０とは、本接合部１０ｇにおいて分離不可能に本接合されていたが、この第２実施形態では、図１７に示すように、本接合部１０ｇ（第１接合部）に相当する部分（以下、接合部分１０ｊと言う）において分離可能とする。
【００９８】
つまり、図１７から図１９に示すように、この接合部分１０ｊの平面サイズやベース吸収体１０における位置などは、前述の実施形態の本接合部１０ｇと同じであるが、この接合部分１０ｊには面ファスナーの雌材６５が固定される一方、トップ吸収体２０の前端部２０ａ（前側の封止部２５及びその後側の近傍部分）の裏面側には、前記雌材６５に対応させて面ファスナーの雄材６３が固定されており、これによって、接合部分１０ｊにおいてトップ吸収体２０とベース吸収体１０とは着脱可能になっている。
【００９９】
面ファスナーの雄材６３は、例えば、鉤状の突起が一面についた矩形のシート材であり、より好ましくは、前記突起の形状がキノコ型であると良い。これは、キノコ型であれば係止鉤の方向性が無くなって任意の方向に対して均等に高い係止力を発揮し得るからである。そして、その結果として、トップ吸収体２０をベース吸収体１０に接合してから下着９０を引き上げる過程において仮にトップ吸収体２０が多少前後左右に振られたとしても、ベース吸収体１０から脱落し難くなる。
【０１００】
一方、面ファスナーの雌材６５は、例えば、前記雄材６３の突起が引っかかるような多数のループが一面に形成された矩形のシート材である。但し、この雌材６５は必須構成ではない。その理由は、ベース吸収体１０の表面シート１４は不織布で形成されているので、当該不織布との間でも、トップ吸収体２０の前記雄材６３は、ある程度の係止力を期待できるからである。しかし、通常、表面シート１４用の不織布としては、肌触り性の観点から風合いの良い不織布が用いられるケースが多く、その場合には不織布の構成繊維の交絡強度が弱くなって充分な接合強度を確保できない虞がある。よって、望ましくは、ベース吸収体１０の接合部分１０ｊに前記雌材６５を固定するのが良い。なお、ベース吸収体１０側に雌材６５を設け、トップ吸収体２０側に雄材６３を設けているが、逆にしても良い。  
また、ベース吸収体１０の接合部分１０ｊとトップ吸収体２０の前端部２０ａに面ファスナー６３，６５ではなく粘着剤を用いた場合には、粘着剤の塗布領域に対応させて、上記の粘着剤が剥離し易い素材のシートを配置すると良い。また、接合部分１０ｊか前端部２０ａの少なくとも一方に粘着剤を塗布されていれば、接合部分１０ｊにて、トップ吸収体２０とベース吸収体１０を接合することができる。  
つまり、第２実施形態の吸収性物品６では、ベース吸収体１０とトップ吸収体２０が分離可能であり、単体の商品としても販売可能なベース吸収体１０とトップ吸収体２０を一緒に包装して販売する場合において、前述の実施形態の図１２Ａから図１２Ｄのように、接合部分１０ｊ（第１接合部）と第２接合部１０ｈにてトップ吸収体２０とベース吸収体１０とを仮接合し、第１接合部１０ｊと第２接合部１０ｈの間に、保持部３２や係止部２７による規制部を設けることで、ベース吸収体１０とトップ吸収体２０の相対移動を規制できる。その結果、トップ吸収体２０がベース吸収体１０上の取付位置からずれてしまうことを防止できる。
【０１０１】
また、このような分離可能な構成である第２実施形態の吸収性物品６では、所定時間使用され、トップ吸収体２０が充分に液体を吸収したら、ベース吸収体１０は交換せずに、単体で個別包装されて販売されているトップ吸収体２０を用いて、トップ吸収体２０のみを交換することが可能である。そうすると、ベース吸収体１０の交換頻度が低くなる分、ごみが削減できる。この場合、ベース吸収体１０とトップ吸収体２０との接合作業は、吸収性物品６の使用者にて行われるため、接合部分１０ｊが視覚的に明確になるように、雌材６５には、表面シート１４と色調の異なるものを用いると良く、そうすれば、トップ吸収体２０とベース吸収体１０とを接合する際に、接合位置がずれてしまい十分な接合強度を確保できないという事態を防ぐことができる。
【０１０２】
また、面ファスナー６５、６３を用いずに、接合部分１０ｊ及び前端部２０ａに、又は、どちらか一方に粘着剤が塗布され、この粘着剤の塗布領域が剥離剤でコーティングされた剥離紙で覆われている場合には、吸収性物品６の使用者は剥離紙を剥がして粘着剤を露出させて、接合すればよい。
【０１０３】
＝＝＝その他の実施形態＝＝＝
前述の実施形においては、生理用ナプキンの前端側を本接合し、後端側を仮接合しているがこれに限らない。例えば、生理用ナプキンの後端側も本接合しても構わない。また、前端側と後端側を仮接合とし、仮接合した前端側と後端側との間の保持部３２付近を本接合してもよい。この場合、第１接合部も第２接合部も仮接合となり、保持部３２付近の本接合部がトップ吸収体２０とベース吸収体１０の相対的な動きを規制する規制部となる。
【０１０４】
前述の実施形態では、第１接合部１０ｇと第２接合部１０ｈの間に保持規制部１０１と仮接合規制部１０２の両方を用いているが、どちらか一方だけ設けても構わない。例えば、保持部３２を設けない生理用ナプキンであれば、係止部２７による仮接合規制部のみにより、トップ吸収体２０とベース吸収体１０の相対移動を規制してもよい。一方、係止部２７を用いずに、トップ吸収体２０を身体の溝部に密着させて挟むことによりトップ吸収体２０の位置を固定する生理用ナプキンであれば、保持規制部のみにより、トップ吸収体２０とベース吸収体１０の相対移動を規制してもよい。保持部３２も係止部２７も設けない生理用ナプキンであれば、トップ吸収体２０とベース吸収体１０との相対移動を規制する部材（接着剤など）を特別に設けてもよい。
【０１０５】
また、前述の実施形態では、係止部２７を再接合可能な部材としているが、係止部２７が再接合不可能な部材でも構わない。但し、この場合には、係止部２７は使用中のトップ吸収体２０の位置を維持するためだけに用いられ、係止部２７を仮接合規制部として用いることができないため、第１接合部と第２接合部の間に他の規制部を設ける必要がある。
【０１０６】
そして、仮接合規制部１０２に用いられる係止部２７として、トップ吸収体側に接着剤を塗布したり、エンボス加工によりトップ吸収体２０とベース吸収体１０を圧着したりしてもよい。
【０１０７】
前述の実施形態では、本体部をベース吸収体１０として、本体部は液体を吸収するための吸収体基材を有しているが、これに限らない。例えば、本体部は吸収体基材を有さず、液不透過性の部材で構成し、吸収体（トップ吸収体）が吸収した液体を下着９０に浸透させないようにしてもよい。
【０１０８】
また、前述の実施形態は、本発明の理解を容易にするためのものであり、本発明を限定して解釈するためのものではない。本発明は、その趣旨に逸脱することなく、変更、改良され得ると共に、本発明にはその等価物が含まれることはいうまでもない。
【図面の簡単な説明】
【０１０９】
【図１】展開状態の生理用ナプキンの表面側の平面図である。
【図２】図１中のII−II断面図である。
【図３】生理用ナプキンの斜視図である。
【図４】生理用ナプキンの着用時の斜視図である。
【図５】ベース吸収体の表面側の平面図である。
【図６】同裏面側の平面図である。
【図７】図７Ａから図７Ｃは、それぞれ、図５中のＡ−Ａ断面図、同Ｂ−Ｂ断面図、同Ｃ−Ｃ断面図である。
【図８】展開状態のトップ吸収体の平面図であり
【図９】図９Ａから図９Ｄは、それぞれ、図８中のＡ−Ａ断面図、同Ｂ−Ｂ断面図、同Ｃ−Ｃ断面図、同Ｄ−Ｄ断面図、同Ｅ−Ｅ断面図である。
【図１０】包装される生理用ナプキンが折り畳まれる工程を説明するための図である。
【図１１Ａ】本実施形態とは異なる比較例の生理用ナプキンが折り畳まれる直前の状態を示す図である。
【図１１Ｂ】比較例の生理用ナプキンが第１折り位置にて折り畳まれる様子を示す図である。
【図１１Ｃ】トップ吸収体がベース吸収体に対してずれた状態で折り畳まれた比較例の生理用ナプキンの包装が解かれた状態を示す図である。
【図１２Ａ】本実施形態の生理用ナプキンが折り畳まれる直前の状態を示す図である。
【図１２Ｂ】第１折り位置にて生理用ナプキンが１回折り畳まれた状態を示す図である。
【図１２Ｃ】第２折り位置にて生理用ナプキンが折り畳まれた状態を示す図である。
【図１２Ｄ】第３折り位置にて生理用ナプキンが折り畳まれ、個別包装が終了した状態を示す図である。
【図１３】第１変形例の生理用ナプキンを示す図である。
【図１４Ａ】第２変形例の生理用ナプキンの表面側を示す図である。
【図１４Ｂ】第２変形例の生理用ナプキンの裏面側を示す図である。
【図１４Ｃ】第２変形例の生理用ナプキンの保持部と後方保持部がトップ吸収体側へ折り返された状態を示す図である。
【図１５Ａ】第２変形例における保護シートの参考例である。
【図１５Ｂ】第２変形例における保護シートの参考例である。
【図１６】第３変形例の生理用ナプキンを示す図である。
【図１７】第２実施形態の生理用ナプキンの斜視図である。
【図１８】ベース吸収体の表面側の平面図である。
【図１９】トップ吸収体の表面側の平面図である。
【符号の説明】
【０１１０】
１  生理用ナプキン
１０  ベース吸収体、１０ａ  前端部、１０ｂ  後端部、１０ｇ  第１接合部、
１０ｈ  第２接合部、１０ｉ  第１接合部、１０ｊ  ベース吸収体、
１２  吸収体基材、１２ａ  粉砕パルプ積層体、１４  表面シート、１５  圧縮溝、
２０  トップ吸収体、２０ａ  前端部、２０ｂ  後端部、２２  粉砕パルプ積層体、
２３  中間シート、２４  保形シート、２５  封止部、２６  封止部、
２７  係止部、２８  孔、３０  裏面シート、３０ａ  前端部、３０ｂ  後端部、
３１  ずれ止め用付着部、３２  保持部、３３  ずれ止め用付着部、
３４  保護シート、３５  保護シート、３６  包装シート、３８  リードテープ、
３９  後方保持部、４０  サイドシート、４４  固定部、４６  端部、
４８  弾性部材、５１  防漏シート、６０  第１円盤、６１  第２円盤、
６２  第３円盤、７０  保護シート、７１  ずれ止め用付着部、７６  接着剤、
９０  下着、ＣＬ  中心線、Ｚ  膣口対面想定位置
【図３】
2008246090.tif 000003
【図４】
2008246090.tif 000004
【図６】
2008246090.tif 000005
【図８】
2008246090.tif 000006
【図１０】
2008246090.tif 000007
【図１１Ａ】
2008246090.tif 000008
【図１１Ｂ】
2008246090.tif 000009
【図１１Ｃ】
2008246090.tif 000010
【図１２Ａ】
2008246090.tif 000011
【図１２Ｂ】
2008246090.tif 000012
【図１２Ｃ】
2008246090.tif 000013
【図１２Ｄ】
2008246090.tif 000014
【図１３】
2008246090.tif 000015
【図１４Ａ】
2008246090.tif 000016
【図１４Ｂ】
2008246090.tif 000017
【図１４Ｃ】
2008246090.tif 000018
【図１５Ａ】
2008246090.tif 000019
【図１５Ｂ】
2008246090.tif 000020
【図１６】
2008246090.tif 000021
【図１７】
2008246090.tif 000022
【図１８】
2008246090.tif 000023
【図１９】
2008246090.tif 000024
【図１】
2008246090.tif 000025
【図２】
2008246090.tif 000026
【図５】
2008246090.tif 000027
【図７】
2008246090.tif 000028
【図９】
2008246090.tif 000029